【手続補正書】
【提出日】平成27年2月19日(2015.2.19)
【手続補正１】
【補正対象書類名】特許請求の範囲
【補正対象項目名】全文
【補正方法】変更
【補正の内容】
【特許請求の範囲】
【請求項１】
互いに平行に形成される第１および第２の線路からなる第１の引き出し線路部と、前記第１の引き出し線路部の前記第１および第２の線路に連続的に接続され、所定の面積領域を囲むような形状の第１のループ部とを具備する第１のループコイルが、第１の方向に複数個配置された第１のループコイル群と、
互いに平行に形成される第３および第４の線路からなる第２の引き出し線路部と、前記第２の引き出し線路部の前記第３および第４の線路に連続的に接続され、所定の面積領域を囲むような形状の第２のループ部とを具備する第２のループコイルが、前記第１の方向と直交する第２の方向に複数個配置された第２のループコイル群と、
が形成されると共に、前記第１のループコイル群及び前記第２のループコイル群の前記第１のループ部および第２のループ部が占める領域を位置検出エリアとする座標入力装置のセンサであって、
前記位置検出エリア内で、前記第１のループコイルの前記第１または第２の線路のいずれか一方の線路を、他の前記第１のループコイルの前記第１または第２の線路のいずれか一方の線路、または、前記第２のループコイルの第２のループ部の線路、の少なくとも一方と接続することにより共通化すると共に、前記線路を共通化した前記第１のループコイルの前記第１または第２の線路の他方を、前記共通化した線路と平行に近接して配設した
ことを特徴とする電磁誘導方式の座標入力装置のセンサ。
【請求項２】
前記第１の引き出し線路部の前記第１の線路は、信号を供給あるいは信号を取り出すための線路であり、前記第２の線路は、基準電位に接続される線路であり、
前記第１のループコイルの前記第１の引き出し線路部の前記第２の線路を、他の前記第１のループコイルの前記第１の引き出し線路部の第２の線路、または、前記第２のループコイルの第２のループ部の線路、の少なくとも一方と接続することにより共通化すると共に、前記第２の線路を共通化した前記第１のループコイルの前記第１の線路を、前記共通化した線と平行に近接して配設した
ことを特徴とする請求項１に記載の電磁誘導方式の座標入力装置のセンサ。
【請求項３】
前記第１のループコイルの前記第１のループ部の少なくとも前記第１の方向と交差する部分は基板の第１の面上に形成されると共に、前記第１の引き出し線路部は、前記基板の前記第１の面とは反対側の第２の面上に形成され、且つ、前記基板に設けられているスルーホールを介して、前記第１の引き出し線路部と前記第１のループ部とが接続され、
前記第２のループコイルの前記第２のループ部の少なくとも前記第２の方向と交差する部分は、前記基板の前記第２の面上に形成され、前記第１のループコイルの前記第１及び第２の線路のいずれか一方の線路と、他の前記第１のループコイルの前記第１及び第２の線路のいずれか一方の線路、または、前記第２のループコイルの前記第２のループ部、の少なくとも一方との接続は、前記基板の前記第２の面においてなされる
ことを特徴とする請求項１に記載の電磁誘導方式の座標入力装置のセンサ。
【請求項４】
前記位置検出エリア内で、前記第１のループコイル群の複数個の前記第１のループコイルの前記第１の引き出し線路部の前記第２の線路を、前記第１のループコイル群の他の前記第１のループコイルの前記第１の引き出し線路部の前記第２の線路と共通に接続することにより共通化すると共に、前記第２の線路を共通化した前記複数個の第１のループコイルの前記第１の線路を、前記共通化した第２の線路と平行に並走させるようにした
ことを特徴とする請求項１に記載の電磁誘導方式の座標入力装置のセンサ。
【請求項５】
前記共通化した前記第２の線路と平行に配設された、前記第２の線路を共通化した前記複数個の第１のループコイルの前記第１の引き出し線路部の前記第１の線路は、前記共通化した前記第２の線路の両側に、前記共通化した前記第２の線路を中心にして交互に配されるように形成される
ことを特徴とする請求項４に記載の電磁誘導方式の座標入力装置のセンサ。
【請求項６】
前記第１のループコイル群の前記複数個のループコイルは、複数個のグループに分割され、前記複数個のグループのそれぞれ内の各々の前記第１のループコイルの前記第１の引き出し線路部の前記第２の線路を共通化した線路とするようにした
ことを特徴とする請求項４に記載の電磁誘導方式の座標入力装置のセンサ。
【請求項７】
前記位置検出エリア内で、前記第１のループコイルの前記第１の引き出し線路部の前記第２の線路を、前記第２のループコイルの前記第２のループ部と接続することにより、前記第２のループ部の線路を前記第１のループコイルの前記第２の線路として共用化すると共に、前記第２の線路を共用化した前記第１のループコイルの前記第１の線路を、前記共用化した前記第２のループ部の線路と平行に並走させるようにした
ことを特徴とする請求項４に記載の電磁誘導方式の座標入力装置のセンサ。
【請求項８】
前記位置検出エリア内で、前記第１のループコイル群の複数個の前記第１のループコイルの前記第２の線路を、前記第１のループコイル群の他の前記第１のループコイルの前記第２の線路と共通に接続することにより共通化すると共に、
前記位置検出エリア内で、前記第２の線路を共通化した前記複数個の第１のループコイルの前記共通化した前記第２の線路を、前記第２のループコイルの前記第２のループ部に接続することにより、前記第２のループ部の線路を前記複数の第１のループコイルの前記第２の線路として共用化し、更に、前記第２の線路を共通化した前記複数の第１のループコイルの前記第１の線路を、前記共用化した前記第２のループ部の線路と平行に並走させるようにした
ことを特徴とする請求項７に記載の電磁誘導方式の座標入力装置のセンサ。
【請求項９】
前記第１のループコイル群の前記複数個の第１のループコイルは互いに重なり合っていると共に、前記第２のループコイル群の前記複数個の第２のループコイルは互いに重なり合っている
ことを特徴とする請求項１に記載の電磁誘導方式の座標入力装置のセンサ。
【請求項１０】
前記第１の引き出し線路部と前記第２の引き出し線路部とが、共に前記第１の方向に平行に配列されて、一つのコネクタ部に接続されてなる
ことを特徴とする請求項１に記載の電磁誘導方式の座標入力装置のセンサ。
【手続補正２】
【補正対象書類名】明細書
【補正対象項目名】００１０
【補正方法】変更
【補正の内容】
【００１０】
図９に示すように、センサ１００Ａは、位置検出エリア５の外側に、引き出し線路部Ｘ１Ｅ〜Ｘ１２Ｅ及びＹ１Ｅ〜Ｙ８Ｅが占有する大きな面積領域を必要とし、基板３の全面積に対する位置検出エリア５の面積の割合が小さくなってしまう。このため、この基板３を、例えば電子機器の筐体に収容して座標入力装置として用いる場合に、筐体全体の面積に比して座標入力エリアの面積が小さくなってしまうという問題があった。
【手続補正３】
【補正対象書類名】明細書
【補正対象項目名】００１７
【補正方法】変更
【補正の内容】
【００１７】
しかしながら、図１０の例のセンサ１００Ｂは、基板１３の大きさを小さくすることはできるが、Ｘ軸方向のループコイル群１１及びＹ軸方向のループコイル群１２のループコイルのそれぞれの引き出し線路部は、行き線路と帰り線路のペアを、それぞれ必要としており、引き出し線路部の導体ライン数は、ループコイルの数の２倍が必要であった。このため、センサ１００Ｂと外部の回路部とをコネクタ部を通じて接続する場合に、そのコネクタ部の接続ピン数もループコイルの数の２倍となって、コネクタ部１４の大きさが大きくなってしまうという問題がある。
【手続補正４】
【補正対象書類名】明細書
【補正対象項目名】００２５
【補正方法】変更
【補正の内容】
【００２５】
したがって、共通化された線路の分だけ、引き出し線路数は、ループコイル数の２倍よりも少なくなる。そして、共通化する線路の接続は、位置検出エリア内でなされるので、基板の位置検出エリア外に、ベタパターンなどの無駄な領域を形成する必要はない。このため、基板の大きさを必要最小限にすることができる。
【手続補正５】
【補正対象書類名】明細書
【補正対象項目名】００２６
【補正方法】変更
【補正の内容】
【００２６】
また、線路が共通化されたループコイルの第１または第２の線路の他方の線路は、共通化された一方の線路と平行に、且つ、近接して配設されるので、位置検出エリア内で接続されて共通化されたとしても、位置指示器との電磁結合による磁束が鎖交する部分の面積を非常に小さくすることができる。このため、位置指示器とセンサとの電磁結合による磁束が当該面積部分と鎖交することにより、位置検出に対する誤差が発生するおそれがあったとしても、その誤差を非常に小さい値に抑えることができる。
【手続補正６】
【補正対象書類名】明細書
【補正対象項目名】００２９
【補正方法】変更
【補正の内容】
【００２９】
【図１】この発明による電磁誘導方式の座標入力装置のセンサにおけるＸ軸方向ループコイルとＹ軸方向ループコイルの線路パターンを説明するための図である。
【図２】この発明が適用される電磁誘導方式の座標入力装置の位置検出回路を説明するための図である。
【図３】この発明による電磁誘導方式の座標入力装置のセンサの第１の実施形態の要部を説明するための図である。
【図４】この発明による電磁誘導方式の座標入力装置のセンサの第１の実施形態を説明するための図である。
【図５】図４の構成の一部を説明するための図である。
【図６】この発明による電磁誘導方式の座標入力装置のセンサの第２の実施形態の要部を説明するための図である。
【図７】この発明による電磁誘導方式の座標入力装置のセンサの第２の実施形態を説明するための図である。
【図８】図７の構成の一部を説明するための図である。
【図９】従来の電磁誘導方式の座標入力装置のセンサの構成例を説明するための図である。
【図１０】従来の電磁誘導方式の座標入力装置のセンサの他の構成例を説明するための図である。
【手続補正７】
【補正対象書類名】明細書
【補正対象項目名】００３２
【補正方法】変更
【補正の内容】
【００３２】
この例の座標入力装置２００のセンサ２０においては、図２に示すように、基板２３の上面及び裏面のそれぞれの面に、Ｘ軸方向のループコイル群２１とＹ軸方向のループコイル群２２とが、空間的に重なるようにされて配設されている。なお、以下に説明する例では、センサ２０の基板２３の横方向をＸ軸方向、縦方向をＹ軸方向としている。
【手続補正８】
【補正対象書類名】明細書
【補正対象項目名】００３３
【補正方法】変更
【補正の内容】
【００３３】
この例の場合、図２に示すように、Ｘ軸方向のループコイル群２１は、Ｘ軸方向に配列されたｎ（ｎは２以上の整数）本の矩形のループコイル２１Ｘ１〜２１Ｘｎからなっており，また、Ｙ軸方向のループコイル２２は、Ｙ軸方向に配列されたｍ（ｍは２以上の整数）本の矩形のループコイル２２Ｙ１〜２２Ｙｍからなっている。このセンサ２０においては、Ｘ軸方向のループコイル群２１のループ部とＹ軸方向のループコイル群２２のループ部とにより、位置検出エリア２５が構成される。
【手続補正９】
【補正対象書類名】明細書
【補正対象項目名】００４２
【補正方法】変更
【補正の内容】
【００４２】
［この発明のセンサの第１の実施形態］
図１は、第１の実施形態のセンサ２０Ａにおいて、Ｘ軸方向のループコイル群２１の各１本のループコイル２１Ｘｉ（ｉは、１，２，・・・ｎのいずれか）と、Ｙ軸方向のループコイル群２２の各１本のループコイル２２Ｙｊ（ｊは、１，２，・・・ｍのいずれか）が、基板２３に対してどのように形成されるかを説明するための図である。
【手続補正１０】
【補正対象書類名】明細書
【補正対象項目名】００４３
【補正方法】変更
【補正の内容】
【００４３】
図１（Ａ）は、基板２３をその一方の面２３ａ側から見た図であり、図１（Ｂ）は、基板２３を、前記面２３ａに垂直な方向から見た図である。図１（Ｂ）では、ループコイル２１Ｘｉ及び２２Ｙｊを構成する導体パターンの図示は省略した。
【手続補正１１】
【補正対象書類名】明細書
【補正対象項目名】００５４
【補正方法】変更
【補正の内容】
【００５４】
なお、センサ２０ＡのＸ軸方向ループコイル２１Ｘｉ及びＹ軸方向ループコイル２２Ｙｊのループ部２１ＸｉＬ及び２２ＹｊＬは、位置指示器３００との間での電磁誘導による磁束が鎖交するのに十分な所定の面積部分を囲むようなものであるであることは言うまでもない。
【手続補正１２】
【補正対象書類名】明細書
【補正対象項目名】００５７
【補正方法】変更
【補正の内容】
【００５７】
前述したようにして、基板２３の一方の面２３ａに形成されたＸ軸方向ループコイル２１Ｘｉのループ部２１ＸｉＬの直線部ＸｉＬａ及びＸｉＬｂは、スルーホール３１ａｉ，３１ｂｉ，３１ｃｉ，３１ｄｉを通じて、基板２３の他方の面２３ｂに形成された直線部ＸｉＬｃ及びＸｉＬｄに接続される。同様に、基板２３の一方の面２３ａに形成されたＸ軸方向ループコイル２１Ｘｋのループ部２１ＸｋＬの直線部ＸｋＬａ及びＸｋＬｂは、スルーホール３１ａｋ，３１ｂｋ，３１ｃｋ，３１ｄｋを通じて、基板２３の他方の面２３ｂに形成された直線部ＸｋＬｃ及びＸｋＬｄに接続される。
【手続補正１３】
【補正対象書類名】明細書
【補正対象項目名】００５９
【補正方法】変更
【補正の内容】
【００５９】
また、直線部ＸｉＬｂ及び直線部ＸｋＬｂの切断部の他方の端部は、それぞれスルーホール３１ｆｉ及び３１ｆｋを通じて、引き出し線路２１ＸｉＥ及び引き出し線路２１ＸｋＥの帰り線路ＸｉＥｇ及びＸｋＥｇに接続される。この場合に、Ｘ軸方向ループコイル２１Ｘｉの引き出し線路部２１ＸｉＥの帰り線路ＸｉＥｇは、スルーホール３１ｆｋと接続された後のスルーホール３１ｆｉと３１ｆｋとの間以外の線路部は、Ｘ軸方向ループコイル２１Ｘｋの帰り線路ＸｋＥｇと共用されることになる。すなわち、帰り線路ＸｉＥｇと帰り線路ＸｋＥｇとは、共通帰り線路ＣＭｇの構成とされる。
【手続補正１４】
【補正対象書類名】明細書
【補正対象項目名】００６２
【補正方法】変更
【補正の内容】
【００６２】
そして、第１の実施形態では、更に、Ｘ軸方向ループコイル２１Ｘｉの引き出し線路部２１ＸｉＥの行き線路ＸｉＥｓと、Ｘ軸方向ループコイル２１Ｘｋの引き出し線路部２１ＸｋＥの行き線路ＸｋＥｓとを、共通帰り線路ＣＭｇを中心とした両側に形成するようにする。このため、スルーホール３１ｅｉと３１ｅｋとは、共通帰り線路ＣＭｇを跨いだ位置に形成する。
【手続補正１５】
【補正対象書類名】明細書
【補正対象項目名】００６６
【補正方法】変更
【補正の内容】
【００６６】
例えば図４に示すように、Ｘ軸方向ループコイル群２１のｎ個のＸ軸方向ループコイル２１Ｘ１〜２１Ｘｎを、それぞれ２本以上からなるグループＧ１、Ｇ２、・・・の複数個に分けて各グループ毎に帰り線路を共通化することにより、Ｘ軸方向ループコイル群２１から導出される引き出し線路の全体の帰り線路の線数を、そのグループ数分とすることができる。すなわち、図４に示すように、各グループＧ１、Ｇ２、・・・毎に１本の共通帰り線路ＣＭｇ１、ＣＭｇ２、・・・を備えるように構成することができる。なお、各グループＧ１、Ｇ２、・・・を構成するＸ軸方向ループコイルの数は、同数ではなく異なっていても良いことは言うまでもない。
【手続補正１６】
【補正対象書類名】明細書
【補正対象項目名】００７１
【補正方法】変更
【補正の内容】
【００７１】
また、直線部Ｘ１Ｌｂ〜Ｘ６Ｌｂの切断部の他方の端部は、それぞれスルーホール３１ｆ１〜３１ｆ６を通じて、基板２３の他方の面２３ｂ側の帰り線路パターンと接続されるが、この場合、基板２３の他方の面２３ｂ側において、スルーホール３１ｆ１〜３１ｆ６は、一つの線路パターンである共通帰り線路ＣＭｇ１により接続されているので、直線部Ｘ１Ｌｂ〜Ｘ６Ｌｂの切断部の他方の端部は、共通帰り線路ＣＭｇ１に全て接続される。すなわち、６個のＸ軸方向ループコイル２１Ｘ１〜２１Ｘ６の引き出し線路部２１Ｘ１Ｅ〜２１Ｘ６Ｅの帰り線路は、共通化された１本の共通帰り線路ＣＭｇ１とされる。
【手続補正１７】
【補正対象書類名】明細書
【補正対象項目名】００７７
【補正方法】変更
【補正の内容】
【００７７】
また、センサ２０Ａと位置検出回路２６とをコネクタ部で接続する場合に、コネクタピン数が減少し、コネクタ部２４の小型化が可能で、コストダウンが可能となる。
【手続補正１８】
【補正対象書類名】明細書
【補正対象項目名】００８３
【補正方法】変更
【補正の内容】
【００８３】
ただし、この第２の実施形態においては、図６に示すように、Ｘ軸方向ループコイル２１Ｘｉの引き出し線路部２１ＸｉＥの帰り線路ＸｉＥｇを、Ｙ軸方向ループコイル２２Ｙｊのループ部２２ＹｊＬの一つの直線部ＹｊＬｂに接続して、この直線部ＹｊＬｂを、ＸｉＥｇとしても用いることにより共通化し、Ｘ軸方向ループコイル群２１から位置検出エリア２５の外側のコネクタ部２４に接続するための引き出し線路の合計の線路数を削減するようにする。なお、図６においても、図１と同様に、実線の直線は、基板２３の一方の面２３ａに形成された線路を示しており、点線の直線は、基板２３の他方の面２３ｂに形成された線路を示している。
【手続補正１９】
【補正対象書類名】明細書
【補正対象項目名】００８６
【補正方法】変更
【補正の内容】
【００８６】
一方、Ｘ軸方向ループコイル２１Ｘｉは、図３と同様にして、基板２３の一方の面２３ａ側の直線部ＸｉＬａ及びＸｉＬｂと、他方の面２３ｂ側の直線部ＸｉＬｃ及びＸｉＬｄとが、スルーホール３１ａｉ，３１ｂｉ，３１ｃｉ，３１ｄｉを通じて接続されることにより、そのループ部２１ＸｉＬが形成される。
【手続補正２０】
【補正対象書類名】明細書
【補正対象項目名】００９３
【補正方法】変更
【補正の内容】
【００９３】
そして、第２の実施形態においては、Ｘ軸方向ループコイル群２１のＸ軸方向ループコイルの数が、Ｙ軸方向ループコイル群２２のＹ軸方向ループコイルの数以下の場合には、Ｘ軸方向ループコイルのそれぞれを、互いに異なるＹ軸方向ループコイルと帰り線路を共通化することができる。その場合には、位置検出エリア２５内に存在するＸ軸方向ループコイルについての引き出し線路（行き線路と共通帰り線路（Ｙ軸方向ループコイルのループ部の直線部））との間隔は、常に、最小の間隔、例えば０．１ｍｍとすることができ、誤差信号の発生を最小に抑えることができる。
【手続補正２１】
【補正対象書類名】明細書
【補正対象項目名】００９４
【補正方法】変更
【補正の内容】
【００９４】
そして、Ｘ軸方向ループコイル群２１のＸ軸方向ループコイルのそれぞれからの引き出し線路として帰り線路を不要にすることができるので、Ｘ軸方向ループコイル群２１及びＹ軸方向ループコイル群２２の全体からの引き出し線路の帰り線路の数を、Ｙ軸方向ループコイルの数だけとすることができる。したがって、第１の実施形態の場合よりも、Ｘ軸方向ループコイル群２１及びＹ軸方向ループコイル群２２の全体からの引き出し線路の帰り線路の数を、更に少なくすることができる。
【手続補正２２】
【補正対象書類名】明細書
【補正対象項目名】００９５
【補正方法】変更
【補正の内容】
【００９５】
なお、Ｘ軸方向ループコイル群２１のＸ軸方向ループコイルの数が、Ｙ軸方向ループコイル群２２のＹ軸方向ループコイルの数より多い場合には、Ｙ軸方向ループコイルのループ部の直線部の一部を帰り線路として共用するＸ軸方向ループコイルの数を複数個にすれば良い。すなわち、第１の実施形態と第２の実施形態とを組み合わせた形態とするようにすれば良い。
【手続補正２３】
【補正対象書類名】明細書
【補正対象項目名】０１００
【補正方法】変更
【補正の内容】
【０１００】
以上のようにして、第２の実施形態においては、Ｘ軸方向ループコイル群２１の全てのＸ軸方向ループコイルの帰り線路を、Ｙ軸方向ループコイル群２１のＹ軸方向ループコイルのループ部の線路のうちの帰り線路が接続される（上記の例のように、延長されて帰り線路とされる場合を含む）方の線路に接続することにより、当該Ｙ軸方向ループコイルのループ部の線路を、Ｘ軸方向ループコイルの帰り線路としても共用化することができる。このため、Ｘ軸方向ループコイル群２１及びＹ軸方向ループコイル群２２の全体からの引き出し線路の帰り線路を、Ｙ軸方向ループコイル２２Ｙ１〜２２Ｙｍのかずぶんとすることができ、従来の１／２にすることができる。
【手続補正２４】
【補正対象書類名】明細書
【補正対象項目名】０１０１
【補正方法】変更
【補正の内容】
【０１０１】
そして、Ｙ軸方向ループコイル２２Ｙ１〜２２Ｙｍについて、第１の実施形態を更に適用した場合には、Ｙ軸方向ループコイル群２２からの引き出し線路の帰り線路を、最小１本にすることができるので、Ｘ軸方向ループコイル群２１及びＹ軸方向ループコイル群２２の全体からの引き出し線路の帰り線路を、最小、１本にすることができ、線路数を大幅に削減することができる。
【手続補正２５】
【補正対象書類名】図面
【補正対象項目名】図１
【補正方法】変更
【補正の内容】
【図１】
2013186784.tif 000001
【手続補正２６】
【補正対象書類名】図面
【補正対象項目名】図２
【補正方法】変更
【補正の内容】
【図２】
2013186784.tif 000002
【手続補正２７】
【補正対象書類名】図面
【補正対象項目名】図３
【補正方法】変更
【補正の内容】
【図３】
2013186784.tif 000003
【手続補正２８】
【補正対象書類名】図面
【補正対象項目名】図６
【補正方法】変更
【補正の内容】
【図６】
2013186784.tif 000004
【手続補正２９】
【補正対象書類名】図面
【補正対象項目名】図７
【補正方法】変更
【補正の内容】
【図７】
2013186784.tif 000005
【手続補正３０】
【補正対象書類名】図面
【補正対象項目名】図８
【補正方法】変更
【補正の内容】
【図８】
2013186784.tif 000006
【手続補正３１】
【補正対象書類名】図面
【補正対象項目名】図１０
【補正方法】変更
【補正の内容】
【図１０】
2013186784.tif 000007